(57)【特許請求の範囲】
【請求項１】
Ｎ（１以上の整数）個の太陽電池モジュールが直列に接続されて成る太陽電池ストリングで発電された太陽電池電力を交流電力に変換する電力変換部を備えた電力変換器であって、
前記電力変換器の内部に設けられ、複数の前記太陽電池ストリングに接続された電力線で供給される複数の前記太陽電池電力を結合し、結合された電力を一対の第１の電力線で前記電力変換部へ供給する電力結合部と、
一端が前記電力変換器の外部に設けられた接続箱に接続される一対の第２の電力線の他端を接続する接続端子と、
一次側の一対の第３の電力線が前記接続端子に接続され、二次側の一対の第４の電力線が前記電力変換部に接続され、複数の前記太陽電池電力の総和を許容する開閉器と、
を備え、
前記接続端子は、前記電力変換器の内部に設けられると共に、前記電力結合部と前記開閉器との間に配置され、
前記第２の電力線には、前記接続箱で結合された複数の前記太陽電池電力の総和が供給され、
前記接続端子には、前記第２の電力線の他端が接続されると共に、一端が前記電力結合部に接続された前記第１の電力線の他端と、一端が前記開閉器の一次側に接続された前記第３の電力線の他端とが接続され、前記電力結合部または前記接続箱で結合された電力を前記開閉器へ供給可能に配置されることを特徴とする電力変換器。
【発明の詳細な説明】
【技術分野】
【０００１】
本発明は、太陽光発電用の系統連系電力変換器（以下「電力変換器」）に関するものである。
【背景技術】
【０００２】
太陽光発電用電力変換器は、太陽光発電モジュールパネルから直流電力を昇圧し、この電圧を交流電力に変換して交流負荷および系統に供給するものである。特に太陽電池は、所望の電力を得るため、太陽電池セルが搭載された太陽電池モジュールを直列接続してなる太陽電池ストリングを並列に接続構成されている。この太陽電池の電力変換器への接続構成としては、複数の太陽電池ストリングの出力群を電力変換器へ接続する場合と、電力変換器の外部に設けられた接続箱にこの出力群を取り込み、それらを１対の出力に集約して電力変換器に接続する場合とがある。この接続箱には、太陽電池ストリングの並列数に対応した複数の開閉器および逆流防止ダイオードが設けられ、接続箱に供給された電力は、一対の接続箱出力線に集約されて電力変換器へ供給される。従って、一対の接続箱出力線には、１組の太陽電池ストリングから出力される電流よりも高い値の電流が流れることになる。
【０００３】
下記特許文献１に代表される従来の電力変換器は、太陽電池ストリングの並列数分を取り込む接続箱機能を有している。すなわち、各太陽電池ストリングからの出力群を取り込み、太陽電池ストリングの並列数に対応した複数の開閉器および逆流防止ダイオードと、これらの開閉器および逆流防止ダイオードを介して供給された直流電力を交流電力に変換するインバータとを有して構成されている。
【先行技術文献】
【特許文献】
【０００４】
【特許文献１】特開平１１−３１８０４２号公報
【非特許文献】
【０００５】
【非特許文献１】株式会社ＧＳユアサ「ラインバックαプラス(ＬＢＳＦ−１０−Ｔ３)設置手順書、Ｋ4-５５３５Ｂ」（第４項に示される一括入力同バー）
【発明の概要】
【発明が解決しようとする課題】
【０００６】
しかしながら、上記特許文献１に代表される従来技術は、以下のような課題があった。接続箱機能を有する電力変換器をリプレイスして一対の接続箱出力線を取り込むことができるように構成する場合、一対の接続箱出力線に流れる電流を電力変換器内の各開閉器へ分配する第１の分配バスバー（例えば上記非特許文献１参照）と、一対の接続箱出力線に流れる電流を電力変換器内の各逆流防止ダイオードへ分配する第２の分配バスバーとが必要となる。このように接続箱機能を有する電力変換器に接続箱からの一対の接続箱出力線を入力する場合、複数の開閉器（あるいは断路器）と逆接続防止ダイオードへ電流を分散させるために、ケーブルや金属板で構成された分配バスバーを使用する必要がある。しかしながら、分配バスバーを用いて電流を分散させた場合、ダイオードの特性上、必ずしも均等に電流が分散される保証は無く、例えばＳｉダイオードを使うと電流に偏りが発生する。この電流の偏りにより一部の逆流防止ダイオードが他の逆流防止ダイオードよりも発熱した場合、この発熱量が多い逆流防止ダイオードはさらに電流が流れやすくなり、電流の偏りが誘発される。また、複数の開閉器（あるいは断路器）の入力側に分配バスバーを配置した場合、各開閉器に設けられたスイッチの入れ忘れによって他経路への過電流が生じる可能性がある。このように電力変換器内の複数の電流経路において電流の偏りが生じるため、動作が不安定になると共に逆流防止ダイオード等の寿命が短縮化されるという課題があった。
【０００７】
本発明は、上記に鑑みてなされたものであって、電力変換器内の複数の電流経路における電流の偏りを抑制して安定した動作が実現可能な電力変換器を得ることを目的とする。
【課題を解決するための手段】
【０００８】
上述した課題を解決し、目的を達成するために、本発明は、Ｎ（１以上の整数）個の太陽電池モジュールが電気的直列に接続されて成る太陽電池ストリングで発電された太陽電池電力を交流電力に変換する電力変換部を備えた電力変換器であって、前記電力変換器の内部に設けられ、複数の前記太陽電池ストリングに接続された電力線で供給される複数の前記太陽電池電力を結合し、結合された電力を一対の第１の電力線で前記電力変換部へ供給する電力結合部と、一端が前記電力変換器の外部に設けられた接続箱に接続される一対の第２の電力線の他端を接続する接続端子と、一次側の一対の第３の電力線が前記接続端子に接続され、二次側の一対の第４の電力線が前記電力変換部に接続され、複数の前記太陽電池電力の総和を許容する開閉器と、を備え、前記接続端子は、前記電力変換器の内部に設けられると共に、前記電力結合部と前記開閉器との間に配置され、前記第２の電力線には、前記接続箱で結合された複数の前記太陽電池電力の総和が供給され、前記接続端子には、前記第２の電力線の他端が接続されると共に、一端が前記電力結合部に接続された前記第１の電力線の他端と、一端が前記開閉器の一次側に接続された前記第３の電力線の他端とが接続され、前記電力結合部または前記接続箱で結合された電力を前記開閉器へ供給可能に配置されることを特徴とする。
【発明の効果】
【０００９】
この発明によれば、接続箱からの電力線を電力調整回路へ直接配線するための開閉器を設けるようにしたので、複数の逆流防止ダイオード等に流れる電流が相互に偏ることなく安定した動作を実現することができる、という効果を奏する。
【図面の簡単な説明】
【００１０】
【図１】図１は、本発明の実施の形態１にかかる電力変換器の構成図である。
【図２】図２は、接続箱の構成図である。
【図３】図３は、図１に示される電力変換器に太陽電池の電力線群を直接接続した状態を表す図である。
【図４】図４は、接続箱機能を有する従来の電力変換器の構成を表す図である。
【図５】図５は、図４に示される電力変換器に接続箱からの出力を取り込む場合の構成を表す図である。
【図６】図６は、本発明の実施の形態２にかかる電力変換器の構成図である。
【図７】図７は、図６に示される電力変換器に太陽電池の電力線群を直接接続した状態を表す図である。
【発明を実施するための形態】
【００１１】
以下に、本発明にかかる電力変換器の実施の形態を図面に基づいて詳細に説明する。なお、この実施の形態によりこの発明が限定されるものではない。
【００１２】
実施の形態１．
図１は、本発明の実施の形態１にかかる電力変換器１００の構成図であり、図２は、接続箱１１の構成図であり、図３は、図１に示される電力変換器１００に太陽電池１の電力線群を直接接続した状態を表す図である。
【００１３】
図１において電力変換器１００は、主たる構成として、複数の開閉器３−１〜３−５、複数の逆流防止ダイオード４−１〜４−５、直流電力を交流電力に変換する電力調整部７、および結合開閉器８を有して構成されている。電力調整部７は、昇圧回路や降圧回路からなる電圧調整器７１、直交変換器７２、およびフィルタ７３を有する。
【００１４】
電力変換器１００には、接続箱１１からの一対の接続箱出力線（第１の接続箱出力線１２および第２の接続箱出力線１３）が接続され、電力調整部７の出力は電力系統７４に接続されている。なお、以下の説明では特に言及する場合を除いて、開閉器３−１〜３−５を「開閉器群３」と称し、逆流防止ダイオード４−１〜４−５を「逆流防止ダイオード群４」と称する。また、本実施の形態１の電力変換器１００には、５つの開閉器群３および５つの逆流防止ダイオード群４ｎが搭載されているが、開閉器群３および逆流防止ダイオード群４の数は、５つに限定されるものではない。
【００１５】
太陽電池１には、太陽電池モジュールがそれぞれ電気的に直列に接続された複数の太陽電池ストリング１−１〜１−５が（太陽電池ストリング群１）が設けられている。各太陽電池ストリング１−１〜１−５からは電力線２−１〜２−５（電力線群２）がそれぞれ引き出され、これらの電力線群２が接続箱１１に並列に接続されている。
【００１６】
図３には、開閉器３−１〜３−５の一次側に電力線２−１〜２−５を直接接続する場合の例が示されている。各開閉器３−１〜３−５の二次側は、逆流防止ダイオード４−１〜４−５のカソードに接続されると共に第１の結合出力線３１に接続される。また、逆流防止ダイオード群４のアノードは第２の結合出力線４１に接続される。このように電力変換器１００は、太陽電池１からの複数の出力を一対の電力線（第１の結合出力線３１および第２の結合出力線４１）に集約して電力調整部７へ供給する接続箱機能を有する。
【００１７】
図２おいて、接続箱１１には、複数の開閉器１４−１〜１４−５（開閉器群１４）と複数の逆流防止ダイオード１５−１〜１５−５（逆流防止ダイオード群１５）とが搭載され、各開閉器１４−１〜１４−５の一次側にはそれぞれ太陽電池１からの電力線２−１〜２−５が接続される。各開閉器１４−１〜１４−５の二次側は、逆流防止ダイオード１５−１〜１５−５のカソードに各々接続されると共に第１の接続箱出力線１２が接続される。また、逆流防止ダイオード群１５のアノードは第２の接続箱出力線１３に接続される。このように接続箱１１は、太陽電池１からの複数の出力を一対の電力線（第１の接続箱出力線１２および第２の接続箱出力線１３）に集約して電力変換器１００へ供給する。従って、一対の接続箱出力線には、各電力線２−１〜２−５に通流する電流よりも高い値の電流が流れる。
【００１８】
図１に示される電力変換器１００の第１の結合開閉器入力端子１６には、第１の接続箱出力線１２および第１の結合開閉器入力線８１が接続され、第２の結合開閉器入力端子１７には、第２の接続箱出力線１３および第２の結合開閉器入力線８２が接続される。そして、結合開閉器８には、第１の結合開閉器入力線８１、第２の結合開閉器入力線８２、第１の結合開閉器出力線８３、および第２の結合開閉器出力線８４が接続される。第１の結合開閉器出力線８３は、第１の結合出力線３１に接続され、第２の結合開閉器出力線８４は、第２の結合出力線４１に接続されている。従って、結合開閉器８のスイッチがＯＮのとき、第１の接続箱出力線１２は、第１の結合出力線３１と電気的に接続され、第２の接続箱出力線１３は、第２の結合出力線４１と電気的に接続される。
【００１９】
以下、図１を用いて動作を説明する。太陽電池１からの電流は接続箱１１で一対の接続箱出力線に集約されて電力変換器１００へ供給され、第１の結合開閉器入力線８１および第２の結合開閉器入力線８２を介して結合開閉器８に供給される。結合開閉器８では、接続箱１１から電力調整部７へ供給される電流の供給または停止を行えるスイッチが設けられ、このスイッチが「入り」状態のとき、電力調整部７に電流が供給される。電力調整部７では、電圧調整器７１によって結合開閉器８からの電圧レベルが調整され、直交変換器７２によって直流が交流に変換され、その出力がフィルタ７３によって正弦波化される。そして電力調整部７の出力は、電力系統７４に逆潮流され、あるいは交流電源として使用される。
【００２０】
図４は、接続箱機能を有する従来の電力変換器１１０の構成を表す図であり、図５は、図４に示される電力変換器１１０に接続箱１１からの出力を取り込む場合の構成を表す図である。図４に示される電力変換器１１０は接続箱機能を有するものであり、図３に示される電力変換器１００との相違点は、結合開閉器８、第１の結合開閉器入力線８１、第２の結合開閉器入力線８２、第１の結合開閉器出力線８３、第２の結合開閉器出力線８４、第１の結合開閉器入力端子１６、および第２の結合開閉器入力端子１７が設けられていない点である。
【００２１】
図４の電力変換器１１０を図５に示される電力変換器１１１のようにリプレイスする場合、すなわち接続箱１１からの一対の接続箱出力線を取り込むことができるように構成する場合、各開閉器３の一次側と一対の接続箱出力線との間には、一対の接続箱出力線に流れる電流を分配するための第１の分配バスバー１２０および第２の分配バスバー１３０が必要となる。例えば、第１の接続箱出力線１２には第１の分配バスバー１２０が接続され、第２の接続箱出力線１３には第２の分配バスバー１３０が接続される。ただし、このような構成において逆流防止ダイオード群４にＳｉダイオードが用いられている場合、電流に偏りが発生し、発熱量が多い逆流防止ダイオードではさらに電流が流れやすくなり、電流の偏りが誘発される。また、開閉器群３の一部の開閉器が遮断している場合、他経路に電流が偏り、開閉器が過熱して故障の原因となる。
【００２２】
実施の形態１の電力変換器１００によれば、第１の分配バスバー１２０および第２の分配バスバー１３０を用いることなく接続箱１１からの出力を電力調整部７へ供給することができるため、逆流防止ダイオード群４および開閉器群３における電流の偏りが防止され、安定した動作を実現可能である。また、実施の形態１の電力変換器１００は、図３に示されるように接続箱機能を有するため、接続箱１１を用いずに電力線群２を開閉器群３に接続することも可能であり、太陽電池１からの複数の出力を一対の接続箱出力線（第１の結合出力線３１および第２の結合出力線４１）に集約して電力調整部７へ供給することも可能である。
【００２３】
また、電力調整部７の容量および他の部品（例えば第１の結合出力線３１、第２の結合出力線４１など）の電流容量が、接続箱１１から供給される電流と接続箱機能を介して直接供給される電流とを合算した電流値を許容するように構成すれば、接続箱機能を介して供給された電力と接続箱１１を介して供給された電力とを電力調整部７へ供給することも可能である。
【００２４】
なお、実施の形態１では、第１の結合開閉器出力線８３および第２の結合開閉器出力線８４が第１の結合出力線３１および第２の結合出力線４１に接続された構成例が示されているが、これに限定されるものではなく、例えば、第１の結合開閉器出力線８３および第２の結合開閉器出力線８４を電力調整部７本体に直接接続してもよい。図１に示されるように第１の結合開閉器出力線８３および第２の結合開閉器出力線８４を第１の結合出力線３１および第２の結合出力線４１に接続した場合には、電力調整部７本体を加工しなくとも結合開閉器８の二次側を電力調整部７と電気的に接続することが可能であり、電力変換器１００をリプレイスする際の加工が容易化される。
【００２５】
以上に説明したように、実施の形態１にかかる電力変換器１００は、Ｎ（１以上の整数）個の太陽電池モジュールが直列に接続されて成る太陽電池ストリング１−１〜１−５で発電された太陽電池電力を交流電力に変換する電力変換部（電力調整部７）を備えた電力変換器１００であって、複数の太陽電池ストリング１−１〜１−５に接続された電力線２−１〜２−５で供給される複数の太陽電池電力を結合し、結合された電力を一対の電力線（第１の結合出力線３１および第２の結合出力線４１）で電力調整部７へ供給する電力結合部５０と、一次側が電力変換器１００の外部で結合された各太陽電池電力の総和を供給する一対の電力線（第１の接続箱出力線１２および第２の接続箱出力線１３）に接続され、二次側が電力調整部７に接続され、各太陽電池電力の総和を許容する開閉器（結合開閉器８）と、結合開閉器８の一次側に設けられた一対の電力線（第１の結合開閉器入力線８１および第２の結合開閉器入力線８２）と前記各太陽電池電力の総和を供給する一対の電力線（第１の接続箱出力線１２および第２の接続箱出力線１３）とを電気的に接続する接続端子（電力結合端子１９）を備えるようにしたので、第１の分配バスバー１２０および第２の分配バスバー１３０を用いることなく、電力変換器１００の外部で結合された各太陽電池電力の総和（接続箱１１からの出力）を電力調整部７へ供給することができ、電力結合部５０における電流の偏りが防止され、安定した動作を実現可能である。また、電力結合端子１９を備えることによって、第１の結合開閉器入力線８１および第２の結合開閉器入力線８２への第１の接続箱出力線１２および第２の接続箱出力線１３の着脱が容易化される。
【００２６】
実施の形態２．
図６は、本発明の実施の形態２にかかる電力変換器１０１の構成図であり、図７は、図６に示される電力変換器１０１に太陽電池１の電力線群２を直接接続した状態を表す図である。実施の形態１にかかる電力変換器１００との相違点は、開閉器群３の代わりに複数の断路器５−１〜５−５（断路器群５）が用いられ、結合開閉器８の代わりに結合開閉器２０が用いられ、一対の接続箱出力線（第１の接続箱出力線１２および第２の接続箱出力線１３）と結合開閉器２０との間に電力結合端子１８が設けられている点である。以下、実施の形態１と同一部分には同一符号を付してその説明を省略し、ここでは異なる部分についてのみ述べる。
【００２７】
電力結合端子１８には、第１の接続箱出力線１２、第１の結合出力線３１、および第１の結合開閉器入力線８１が接続される第１の結合開閉器入力端子８５と、第２の接続箱出力線１３、第２の結合出力線４１、および第２の結合開閉器入力線８２が接続される第２の結合開閉器入力端子８６とが設けられている。また、結合開閉器２０の第１の結合開閉器出力線８３および第２の結合開閉器出力線８４は、電力調整部７に接続される。
【００２８】
図７には、各断路器５−１〜５−５の一次側に電力線２−１〜２−５を直接接続する場合の例が示されている。各断路器５−１〜５−５の二次側は、逆流防止ダイオード４−１〜４−５のカソードに接続されると共に第１の結合出力線３１に接続される。また、逆流防止ダイオード群４のアノードは第２の結合出力線４１に接続される。このように電力変換器１０１は、太陽電池１からの複数の出力を一対の電力線（第１の結合出力線３１および第２の結合出力線４１）に集約して電力調整部７へ供給する接続箱機能を有する。
【００２９】
以下、動作を説明する。図６に示される接続構成では、太陽電池１からの電流が接続箱１１で一対の接続箱出力線に集約されて電力変換器１０１へ供給され、第１の結合開閉器入力線８１および第２の結合開閉器入力線８２を介して結合開閉器２０に供給される。結合開閉器２０に設けられたスイッチが「入り」状態のとき、電力調整部７に電流が供給される。一方、図７に示される接続構成では、太陽電池１からの電流が一対の結合出力線（第１の結合出力線３１および第２の結合出力線４１）で集約され、電力結合端子１８を介して結合開閉器２０に供給され、結合開閉器２０に設けられたスイッチが「入り」状態のとき、電力調整部７に電流が供給される。
【００３０】
実施の形態２の電力変換器１０１によれば、図５に示されるような第１の分配バスバー１２０および第２の分配バスバー１３０を用いることなく、接続箱１１からの出力を電力調整部７へ供給することができるため、逆流防止ダイオード群４および開閉器群３における電流の偏りが防止され、安定した動作を実現可能である。
【００３１】
また、実施の形態２の電力変換器１０１は、接続箱機能を有するため、接続箱１１を用いなくとも太陽電池１からの電力線群２を、第１の分配バスバー１２０および第２の分配バスバー１３０を用いることなく、断路器群５に接続することができる。従って、各断路器５−１〜５−５の二次側に接続される各逆流防止ダイオード４−１、４−５には、各太陽電池ストリング１−１〜１−５からの電流が通流するため、上述した電流の偏りが生じることがない。その結果、電流の逆流を防止できると共に、安定した動作を実現可能である。
【００３２】
また、結合開閉器２０の電流容量、電力調整部７の容量、および他の部品（例えば第１の結合開閉器入力線８１、第２の結合開閉器入力線８２、第１の結合開閉器出力線８３、第２の結合開閉器出力線８４など）の電流容量が、接続箱１１を介して太陽電池１から供給される電流と太陽電池１から電力変換器１０１に直接供給される電流とを合算した電流値を許容するように構成すれば、接続箱機能を介して供給された電力と接続箱１１を介して供給された電力と電力調整部７へ供給することも可能である。
【００３３】
以上に説明したように、実施の形態２にかかる電力変換器１０１は、Ｎ（１以上の整数）個の太陽電池モジュールが直列に接続されて成る太陽電池ストリング１−１〜１−５で発電された太陽電池電力を交流電力に変換する電力変換部（電力調整部７）を備えた電力変換器１０１であって、複数の太陽電池ストリング１−１〜１−５に接続された電力線２−１〜２−５で供給される複数の太陽電池電力を結合し、結合された電力を一対の電力線（第１の結合出力線３１および第２の結合出力線４１）で電力調整部７へ供給する電力結合部５１と、一次側が電力変換器１０１の外部で結合された各太陽電池電力の総和を供給する一対の電力線（第１の接続箱出力線１２および第２の接続箱出力線１３）に接続され、二次側が電力調整部７に接続され、各太陽電池電力の総和を許容する開閉器（結合開閉器２０）と、結合開閉器２０の一次側に設けられた一対の電力線（第１の結合開閉器入力線８１および第２の結合開閉器入力線８２）と前記各太陽電池電力の総和を供給する一対の電力線（第１の接続箱出力線１２および第２の接続箱出力線１３）と電力結合部５１に設けられた一対の電力線（第１の結合出力線３１および第２の結合出力線４１）とを電気的に接続する接続端子（第１の結合開閉器入力端子８５および第２の結合開閉器入力端子８６）を備えるようにしたので、第１の分配バスバー１２０および第２の分配バスバー１３０を用いることなく、電力変換器１０１の外部で結合された各太陽電池電力の総和（接続箱１１からの出力）を電力調整部７へ供給することができ、電力結合部５１における電流の偏りが防止され、安定した動作を実現可能である。また、電力結合端子１８を備えることによって、第１の結合開閉器入力線８１および第２の結合開閉器入力線８２への第１の接続箱出力線１２、第２の接続箱出力線１３、第１の結合出力線３１、および第２の結合出力線４１の接続が容易化される。
【００３４】
また、実施の形態１、２にかかる電力変換器１００、１０１は、電力結合部５０、５１と結合開閉器８とを備えるようにしたので、第１の分配バスバー１２０および第２の分配バスバー１３０を用いることなく、電力変換器１００の外部で結合された各太陽電池電力の総和（接続箱１１からの出力）を電力調整部７へ供給することができ、電力結合部５０における電流の偏りが防止され、安定した動作を実現可能である。
【００３５】
また、実施の形態１にかかる電力変換器１００は、電力結合端子１９を備えるようにしたので、第１の結合開閉器入力線８１および第２の結合開閉器入力線８２への第１の接続箱出力線１２および第２の接続箱出力線１３の着脱が容易化される。
【００３６】
また、実施の形態２にかかる電力変換器１０１は、電力結合端子１８を備えるようにしたので、第１の結合開閉器入力線８１および第２の結合開閉器入力線８２への第１の接続箱出力線１２、第２の接続箱出力線１３、第１の結合出力線３１、および第２の結合出力線４１の接続が容易化される。
【００３７】
なお、本発明の実施の形態にかかる電力変換器は、本発明の内容の一例を示すものであり、更なる別の公知の技術と組み合わせることも可能であるし、本発明の要旨を逸脱しない範囲で、一部を省略するなど、変更して構成することも可能であることは無論である。
【産業上の利用可能性】
【００３８】
以上のように、本発明は、電力変換器に適用可能であり、特に、電力変換器内の複数の電流経路における電流の偏りを抑制して安定した動作を実現できる発明として有用である。
【符号の説明】
【００３９】
１  太陽電池
１−１、１−２、１−３、１−４、１−５  太陽電池ストリング
２  電力線群
２−１、２−２、２−３、２−４、２−５  電力線
３−１、３−２、３−３、３−４、３−５、１４−１、１４−２、１４−３、１４−４、１４−５  開閉器
４−１、４−２、４−３、４−４、４−５、１５−１、１５−２、１５−３、１５−４、１５−５  逆流防止ダイオード
５−１、５−２、５−３、５−４、５−５  断路器
７  電力調整部（電力変換部）
８、２０  結合開閉器（開閉器）
１１  接続箱
１２  第１の接続箱出力線（電力線）
１３  第２の接続箱出力線（電力線）
１６、８５  第１の結合開閉器入力端子（接続端子）
１７、８６  第２の結合開閉器入力端子（接続端子）
１８、１９  電力結合端子
３１  第１の結合出力線（電力線）
４１  第２の結合出力線（電力線）
５０、５１  電力結合部
７１  電圧調整器
７２  直交変換器
７３  フィルタ
７４  電力系統
８１  第１の結合開閉器入力線（電力線）
８２  第２の結合開閉器入力線（電力線）
８３  第１の結合開閉器出力線
８４  第２の結合開閉器出力線
１００、１０１、１１０、１１１  電力変換器
１２０  第１の分配バスバー
１３０  第２の分配バスバー
【図１】
0005897974.tif 000002
【図２】
0005897974.tif 000003
【図３】
0005897974.tif 000004
【図４】
0005897974.tif 000005
【図５】
0005897974.tif 000006
【図６】
0005897974.tif 000007
【図７】
0005897974.tif 000008